(57)【要約】【課題】撮影した画像に対する各種画像処理を施しながら、可及的速やかに画像処理後の画像データを出力し、投影動作に反映させる。【解決手段】所定の撮影条件で連続して撮影するレンズ光学系12、ＣＣＤ13を含む撮影部と、この撮影部で得た画像に所定の画像処理を施し、画像処理が施された画像データをＵＳＢＩ／Ｆ23により出力させる一方で、撮影部で得た画像の動きの変化を検出し、その検出結果により撮影部の撮影条件または動きの変化の検出基準の少なくとも一方を切換える制御部66とを備える。【選択図】      図２
2011101428.tif 000002
【特許請求の範囲】
【請求項１】
所定の撮影条件で連続して撮影する撮影手段と、
この撮影手段で得た画像に所定の画像処理を施す画像処理手段と、
この画像処理手段で画像処理が施された画像データを出力する出力手段と、
上記撮影手段で得た画像の動きの変化を検出する検出手段と、
この検出手段の検出結果により上記撮影手段の撮影条件または上記検出手段の検出基準の少なくとも一方を切換える制御手段と
を具備したことを特徴とする撮影画像出力装置。
【請求項２】
上記制御手段は、電源投入当初に、上記検出手段が動きの変化をより高い感度で検出するように上記撮影手段の撮影条件または上記検出手段の検出基準の少なくとも一方を切換えることを特徴とする請求項１記載の撮影画像出力装置。
【請求項３】
上記制御手段は、撮影条件として単位時間当たりに撮影する画像フレーム数を切換えることを特徴とする請求項１記載の撮影画像出力装置。
【請求項４】
上記制御手段は、検出基準として画像に動きが生じていない時間的に連続した画像フレーム数を切換えることを特徴とする請求項１記載の撮影画像出力装置。
【請求項５】
上記制御手段は、検出基準として時間的に連続した画像間の変化の有無を判断するしきい値を切換えることを特徴とする請求項１記載の撮影画像出力装置。
【請求項６】
所定の撮影条件で連続して撮影し、撮影により得た画像に所定の画素処理を施して出力する撮影画像出力装置の撮影制御方法であって、
上記連続して撮影される画像の動きの変化を検出する検出工程と、
この検出工程での検出結果により上記撮影条件または上記検出工程での検出基準の少なくとも一方を切換える制御工程と
を有したことを特徴とする撮影画像出力装置の撮影制御方法。
【請求項７】
所定の撮影条件で連続して撮影し、撮影により得た画像に所定の画素処理を施して出力する撮影画像出力装置に内蔵されたコンピュータが実行するプログラムであって、
上記連続して撮影される画像の動きの変化を検出する検出ステップと、
この検出ステップでの検出結果により上記撮影条件または上記検出ステップでの検出基準の少なくとも一方を切換える制御ステップと
をコンピュータに実行させることを特徴とするプログラム。
【発明の詳細な説明】
【技術分野】
【０００１】
本発明は、プロジェクタ装置等に接続し、書画台上に載置した書類を撮影してその画像データを出力し、上記プロジェクタ装置で投影表示させる書画カメラに好適な撮影画像出力装置、同装置の撮影制御方法及びプログラムに関する。
【背景技術】
【０００２】
従来より、書画カメラと呼ばれる書類台付きのカメラを、パーソナルコンピュータ及びプロジェクタ装置と接続し、上記書類台に載置した書類の画像を随時撮影してそのまま投影表示するようにしたものがある。
【０００３】
この種の書画カメラでは、単に書類台に載置された書類の画像を撮影したままの状態で出力するのではなく、各種の画像処理、具体的には輪郭抽出、切出し、輝度むら補正、色補正、輝度補正、及び台形歪み補正等を行なうことで、より見易い画像を得て投影させることのできる機種も多数存在する。
【０００４】
例えば、投影に先立つ撮影画像の適正化に必要な種々の補正に対応して正確な補正を行なうべく、書画カメラで任意のドキュメント等を撮影し、それにより取得した撮影画像をパーソナルコンピュータへ送り、パーソナルコンピュータでは撮影画像から取得された画像情報に基づく台形歪みを含む種々の歪み補正や、回転処理や切り抜きといった種々の画像処理を撮影画像に施した後、処理後の画像をプロジェクタに送り、プロジェクタによって投影させることで、撮影画像に対して台形歪み補正のみに止まらず種々の補正を行なうようにした技術が提案されている。（例えば、特許文献１）
【先行技術文献】
【特許文献】
【０００５】
【特許文献１】特開２００４−３６３７３６号公報
【発明の概要】
【発明が解決しようとする課題】
【０００６】
しかしながら、上記特許文献に記載された技術も含めて、撮影した画像に台形歪み補正等を含む種々の画像処理を施してから投影を行なう場合、特に投影動作の開始時には、書類台に書類を載置してからその画像が実際に投影表示されるまでに長い時間を要し、ユーザを不安感及び不快感を与えることにもなる。
【０００７】
本発明は上記のような実情に鑑みてなされたもので、その目的とするところは、撮影した画像に対する各種画像処理を施しながら、可及的速やかに画像処理後の画像データを出力し、投影等の動作に反映させることが可能な撮影画像出力装置、同装置の撮影制御方法及びプログラムを提供することにある。
【課題を解決するための手段】
【０００８】
請求項１記載の発明は、所定の撮影条件で連続して撮影する撮影手段と、この撮影手段で得た画像に所定の画像処理を施す画像処理手段と、この画像処理手段で画像処理が施された画像データを出力する出力手段と、上記撮影手段で得た画像の動きの変化を検出する検出手段と、この検出手段の検出結果により上記撮影手段の撮影条件または上記検出手段の検出基準の少なくとも一方を切換える制御手段とを具備したことを特徴とする。
【０００９】
請求項２記載の発明は、上記請求項１記載の発明において、上記制御手段は、電源投入当初に、上記検出手段が動きの変化をより高い感度で検出するように上記撮影手段の撮影条件または上記検出手段の検出基準の少なくとも一方を切換えることを特徴とする。
【００１０】
請求項３記載の発明は、上記請求項１記載の発明において、上記制御手段は、撮影条件として単位時間当たりに撮影する画像フレーム数を切換えることを特徴とする。
【００１１】
請求項４記載の発明は、上記請求項１記載の発明において、上記制御手段は、検出基準として画像に動きが生じていない時間的に連続した画像フレーム数を切換えることを特徴とする。
【００１２】
請求項５記載の発明は、上記請求項１記載の発明において、上記制御手段は、検出基準として時間的に連続した画像間の変化の有無を判断するしきい値を切換えることを特徴とする。
【００１３】
請求項６記載の発明は、所定の撮影条件で連続して撮影し、撮影により得た画像に所定の画素処理を施して出力する撮影画像出力装置の撮影制御方法であって、上記連続して撮影される画像の動きの変化を検出する検出工程と、この検出工程での検出結果により上記撮影条件または上記検出工程での検出基準の少なくとも一方を切換える制御工程と
を有したことを特徴とする。
【００１４】
請求項７記載の発明は、所定の撮影条件で連続して撮影し、撮影により得た画像に所定の画素処理を施して出力する撮影画像出力装置に内蔵されたコンピュータが実行するプログラムであって、上記連続して撮影される画像の動きの変化を検出する検出ステップと、この検出ステップでの検出結果により上記撮影条件または上記検出ステップでの検出基準の少なくとも一方を切換える制御ステップとをコンピュータに実行させることを特徴とする。
【発明の効果】
【００１５】
請求項１記載の発明によれば、装置の運転状況に応じて撮影画像の動き検出の感度を適宜切換えることで、書類台に書類を載置してからその画像が実際に投影表示されるまでに長い時間を要することがなく、ユーザに不安感及び不快感を与えることなく、また無駄な電力消費を抑えることができる。
【００１６】
請求項２記載の発明によれば、上記請求項１記載の発明の効果に加えて、特に電源投入当初に画像の動きの変化をより高い感度で検出するため、可及的速やかに画像処理後の画像データを出力し、投影等の動作に反映させることが可能となる。
【００１７】
請求項３乃至５記載の発明によれば、いずれも上記請求項１記載の発明の効果に加えて、簡単な制御により動きの変化に対する感度を切換えることができる。
【００１８】
請求項６記載の発明によれば、装置の運転状況に応じて撮影画像の動き検出の感度を適宜切換えることで、書類台に書類を載置してからその画像が実際に投影表示されるまでに長い時間を要することがなく、ユーザに不安感及び不快感を与えることなく、また無駄な電力消費を抑えることができる。
【００１９】
請求項７記載の発明によれば、装置の運転状況に応じて撮影画像の動き検出の感度を適宜切換えることで、書類台に書類を載置してからその画像が実際に投影表示されるまでに長い時間を要することがなく、ユーザに不安感及び不快感を与えることなく、また無駄な電力消費を抑えることができる。
【図面の簡単な説明】
【００２０】
【図１】本発明の実施の一形態に係るシステム全体の接続構成を示す図。
【図２】同実施の形態に係る書画カメラ装置の機能回路構成を示すブロック図。
【図３】同実施の形態に係るパーソナルコンピュータの回路構成を示すブロック図。
【図４】同実施の形態に係るデータプロジェクタ装置の機能回路構成を示すブロック図。
【図５】同実施の形態に係る書画カメラでの撮影に関する処理内容を示すフローチャート。
【発明を実施するための形態】
【００２１】
以下本発明を書画カメラ装置、パーソナルコンピュータ（ＰＣ）、及びデータプロジェクタ装置からなる撮像投影システムに適用した場合について図面を参照して説明する。
【００２２】
図１は、その外観と接続構成を示すものである。書画カメラ装置１とＰＣ２とがＵＳＢ（Ｕｎｉｖｅｒｓａｌ Ｓｅｒｉａｌ Ｂｕｓ）ケーブル４で接続される。書画カメラ装置１ではその書画台１ａ上に載置された書類の画像が常時時間的に連続して撮影され、順次デジタル値の画像信号としてＵＳＢケーブル４を介し、アイソクロナス転送によりリアルタイムにＰＣ２に送られる。
【００２３】
このＰＣ２は、書画カメラ装置１に付属している記録媒体、例えばＣＤ−ＲＯＭ６によりこの書画カメラ装置１用のドライブプログラムを予めインストールしており、同プログラムを実行することにより、書画カメラ装置１から送られてくる画像信号に対応したアナログ値の画像信号を生成し、ＲＧＢケーブル５を介してデータプロジェクタ装置３へ送出する。
【００２４】
データプロジェクタ装置３は、送られてきた画像信号に対応する光像を光源と、例えばマイクロミラー素子等の表示素子、及びその他の投影系光学素子群を用いて形成し、投影対象となるスクリーンに形成した光像を投影表示する。
【００２５】
図２は、上記書画カメラ装置１の回路構成を示すものである。 
なお、この書画カメラ装置１は、静止表示モードとスルー表示モードの２つの表示動作モードを有し、ユーザの任意選択によりいずれかの表示モードで撮影により得た画像データをＰＣ２へ出力する。
【００２６】
静止表示モードでは、動き検出動作を行ない、書画台１ａ上に載置された書類に動きがない限り同一の画像データを静止画表示させるべくＰＣ２へ出力するものであり、撮影により得た画像データには各種の画像補正処理、具体的には輪郭抽出、切出し、輝度ムラ補正、色補正、輝度補正、回転補正、及び台形補正等を施した上で出力する。これらの画像補正処理はユーザにより任意の内容が選択設定可能となるものとする。
【００２７】
また、スルー表示モードでは、書画台１ａ上に載置された画像を一定のフレームレート、例えば３０［ｆｐｓ］（毎秒３０フレーム）で撮影し、得られる画像データを上述した画像補正処理等は一切行なわずにそのままリアルタイムでＰＣ２へ出力する。
【００２８】
同図において、その撮影系では、モータ（Ｍ）１１の駆動によりズーム画角や絞り位置等が移動される、レンズ光学系１２の撮影光軸後方に撮像素子であるＣＣＤ１３が配置される。
【００２９】
このＣＣＤ１３は、タイミング発生器（ＴＧ）１４、垂直ドライバ１５によって走査駆動され、後述するフレームレートにしたがった周期毎に結像した光像に対応する光電変換出力を１画面分出力する。
【００３０】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒ（ＹＵＶ信号）が生成され、ＤＭＡ（Ｄｉｒｅｃｔ Ｍｅｍｏｒｙ Ａｃｃｅｓｓ）コントローラ１９に出力される。
【００３１】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００３２】
制御部２２は、ＣＰＵと、このＣＰＵで実行される動作プログラムを固定的に記憶した不揮発性メモリ、及びワークメモリ等により構成され、この書画カメラ装置１全体の制御動作を司る。
【００３３】
制御部２２は、スルー表示モード時において、上記輝度及び色差信号のＤＲＡＭ２１へのＤＭＡ転送終了後に、この輝度及び色差信号（ＹＵＶ信号）をＤＲＡＭインタフェース２０を介してＤＲＡＭ２１より読出し、ＵＳＢインタフェース（Ｉ／Ｆ）２３へ送出する。
【００３４】
ＵＳＢインタフェース２３は、上記輝度及び色差信号をＵＳＢ規格に則ってアイソクロナス転送により上記ＵＳＢケーブル４を介してリアルタイムにＰＣ２に送出する。
【００３５】
また制御部２２は、静止表示モード時に、書画台１ａに載置されている書類の動きの変化を検出し、動きを検出した後にその動きが停止したと判断した時点でＣＣＤ１３から取込んでいる１画面分の画像データのＤＲＡＭ２１へのＤＭＡ転送を取り止め、あらためて適正な露出条件に従った絞り値及びシャッタ速度と解像度でＣＣＤ１３を走査駆動して１画面分の画像データを得てＤＲＡＭ２１へ転送する。
【００３６】
制御部２２は、このＤＲＡＭ２１に保持された画像データを記憶部２５に転送記憶させた上で、その時点で設定されている画像補正処理を施し、画像処理後の画像データを記憶部２５から読出してＵＳＢインタフェース２３よりＰＣ２へ出力させ、再び次の撮影に備えて画像の動きを検出する動作に戻る。
【００３７】
なお、制御部２２にはキー入力部２４が接続されるもので、このキー入力部２４を構成する電源キー等のキー操作信号は直接制御部２２に入力される。
【００３８】
次に図３によりＰＣ２の構成について説明する。図３はこのＰＣ２のハードウェア構成を示すものであり、各種処理制御を司るＣＰＵ３１とフロントサイドバスＦＳＢを介してノースブリッジ３２が接続される。
【００３９】
このノースブリッジ３２は、さらにメモリバスＭＢを介してメインメモリ３３と、またグラフィクスインタフェースＡＧＰを介してグラフィックコントローラ３４及びグラフィックメモリ３５と接続される他、サウスブリッジ３６とも接続され、主としてこれらの間での入出力制御を実行する。
【００４０】
サウスブリッジ３６は、ＰＣＩバス３７、キーボード／マウス３８、ビデオエンコーダ３９、ＵＳＢインタフェース（Ｉ／Ｆ）４０、マルチディスクドライブ４１、ハードディスク装置（ＨＤＤ）４２と接続され、主としてこれら周辺回路とノースブリッジ３２との間の入出力制御を行なう。
【００４１】
なお、これらＰＣ２を構成する個々の要素は、きわめて一般的な技術であるのでその基本的な説明は省略するものとする。
【００４２】
なお、ビデオエンコーダ３９は、与えられたデジタル値の画像信号からアナログ値の画像信号であるＲＧＢビデオ信号を生成して出力する。
【００４３】
ＨＤＤ４２は、ＯＳ（オペレーティングシステム）や各種アプリケーションプログラム、データファイルと共に、マルチディスクドライブ４１に上記ＣＤ−ＲＯＭ６を装着してインストールした書画カメラ装置１用のドライブプログラムを予め記憶している。
【００４４】
次いで図４を用いて上記データプロジェクタ装置３の回路構成について説明する。 
図中、入出力コネクタ部５１より入力されたＲＧＢビデオ信号を含む各種規格の画像信号が、入出力インタフェース（Ｉ／Ｆ）５２、システムバスＳＢを介して画像変換部５３で投影用の所定のフォーマットの画像信号に統一された後に、投影エンコーダ５４へ送られる。
【００４５】
投影エンコーダ５４は、送られてきた画像信号をビデオＲＡＭ５５に展開記憶させた上でこのビデオＲＡＭ５５の記憶内容からビデオ信号を生成して投影駆動部５６に出力する。
【００４６】
この投影駆動部５６は、送られてきた画像信号に対応して適宜フレームレート、例えば例えば６０［フレーム／秒］と色成分の分割数、及び表示階調数を乗算した、より高速な時分割駆動で空間的光変調素子（ＳＯＭ）である例えばマイクロミラー素子５７を表示駆動する。
【００４７】
このマイクロミラー素子５７に対して、リフレクタ５８内に配置された光源ランプ５９が出射する高輝度の白色光を、カラーホイール６０を介して適宜原色に着色し、インテグレータ６１、ミラー６２を介して照射することで、その反射光で光像が形成され、投影レンズ６３を介してここでは図示しないスクリーンに投影表示される。
【００４８】
しかるに、光源ランプ５９の点灯駆動と、カラーホイール６０を回転駆動するモータ（Ｍ）６４はいずれも投影光処理部６５からの供給電圧値に基づいて動作する。
【００４９】
上記各回路のすべての動作制御を司るのが制御部６６である。この制御部６６は、ＣＰＵと、後述する投影動作、撮影動作の処理を含む該ＣＰＵで実行される動作プログラムを記憶した不揮発性メモリ、及びワークメモリ等により構成される。
【００５０】
この制御部６６にはまた、システムバスＳＢを介して音声処理部６７が接続される。 
音声処理部６７は、ＰＣＭ音源等の音源回路を備え、投影動作時に与えられる音声データをアナログ化し、スピーカ６８を駆動して拡声放音し、あるいは必要によりビープ音を発生させる。
【００５１】
なお、このデータプロジェクタ装置３に備えられるキースイッチ部６９における各キー操作信号が直接制御部６６に入力されると共に、Ｉｒ受信部７０からの信号も直接入力される。
【００５２】
このＩｒ受信部７０は、データプロジェクタ装置３の前面及び背面にそれぞれ設けられるもので、その赤外光受信信号をコード信号化して制御部６６に送出する。
【００５３】
次に上記実施の形態の動作について説明する。 
図５は、電源を投入した当初からの静止表示モードでの処理内容を示すもので、その動作制御はすべて制御部２２が内部の不揮発性メモリに記憶している動作プログラムにしたがって実行する。
【００５４】
電源投入当初には、まず書画台１ａに載置される書類に対する動き検出の感度を、例えば予め２段階ある感度「高」「低」のうちの「高」側に設定する（ステップＳ０１）。
【００５５】
ここで動き検出の感度「高」では、例えば書画台１ａ上の書類を撮影する際のフレームレートを３０［ｆｐｓ］（毎秒３０フレーム）とし、直前のフレームと比較して動きのない画像が２フレーム連続した場合に動きなしと判断し、逆にそれぞれ直前のフレームと比較して動きのある画像が２フレーム連続した場合に動きありと判断するものとする。
【００５６】
しかして、上記設定した内容で動き検出処理を実行し（ステップＳ０２）、書画台１ａ上に記載された書類を撮影して得た画像の動きが静止したか否か、具体的には上述した如く直前のフレームと比較して動きのない画像が２フレーム連続したか否かを判断し（ステップＳ０３）、動きを生じている場合には上記ステップＳ０２に戻る、という処理を繰返し実行することで、書画台１ａを所定のフレームレートで撮影した場合の画像が静止するのを待機する。
【００５７】
しかして、撮影している画像に動きがなく静止していると判断すると、あらためて適正な露出条件に従った絞り値及びシャッタ速度と解像度でＣＣＤ１３を走査駆動して撮影し、１画面分の画像データを得てＤＲＡＭ２１へ保持させる（ステップＳ０４）。
【００５８】
このＤＲＡＭ２１に保持した画像データを記憶部２５に転送した上で、予めユーザにより任意に設定された内容に従って画像補正処理、具体的には輪郭抽出、切出し、輝度ムラ補正、色補正、輝度補正、回転補正、及び台形補正等を施す（ステップＳ０５）。
【００５９】
次いで、この画像補正処理に要した時間中に書画台１ａ上の画像に動きがないことを確認した上で（ステップＳ０７）、記憶部２５に記憶される、画像補正処理後の画像データを静止画の画像データとして読出してＵＳＢインタフェース２３よりＰＣ２側へ出力し、ＰＣ２を介してデータプロジェクタ装置３で投影させるものとする（ステップＳ０８）。
【００６０】
このように、電源投入当初には検出感度が「高」に（具体的には撮影のフレームレートが高く、且つ動きありと判断するための連続フレーム数が少なく）設定されているために、書画台１ａ上に載置された書類の画像をできうる限り短時間のうちに投影表示させることができるため、なかなか画像が投影されないでユーザが不安感及び不快感を覚えるような事態を未然に回避できる。
【００６１】
こうして書画台１ａに載置される書類の画像を静止画として投影表示させた状態で、今度は動き検出の感度を、例えば予め２段階ある感度「高」「低」のうちの「低」側に設定する（ステップＳ０９）。
【００６２】
ここで動き検出の感度「低」では、例えば書画台１ａ上の書類を撮影する際のフレームレートを１５［ｆｐｓ］（毎秒１５フレーム）とし、直前のフレームと比較して動きのない画像が４フレーム連続した場合に動きなしと判断し、逆にそれぞれ直前のフレームと比較して動きのある画像が４フレーム連続した場合に動きありと判断するものとする。
【００６３】
しかして、上記設定した内容で動き検出処理を実行し（ステップＳ１０）、書画台１ａ上に記載された書類を撮影して得た画像の動きがあったか否か、具体的には上述した如くそれぞれ直前のフレームと比較して動きのある画像が４フレーム連続したか否かを判断し（ステップＳ１１）、動きがない場合には上記ステップＳ１０に戻る、という処理を繰返し実行することで、上記ステップＳ０８による画像補正処理後の画像データに基づく静止画像の投影を続行しながら、書画台１ａの画像に動きがあるのを待機する。
【００６４】
この画像の動きを待機する状態では、検出感度が「低」に（具体的には撮影のフレームレートが低く、且つ動きありと判断するための連続フレーム数が多く）設定されているために、書画台１ａ上に載置された書類に多少の動きがあっても画像の動きありと判断する度合が低くなる
その後、書画台１ａ上に載置された書類の画像に動きがあったと判断すると、上記ステップＳ１１でこれを判断し、再度上記ステップＳ０１からの処理に移行して、画像に動きがあるうちに動き検出の感度を一時的に「高」に設定し、迅速に動き検出とそれに伴う画像の撮影、及び画像補正処理を実行し、より短い時間内に画像補正処理後の画像データを投影するようにする。
【００６５】
なお、上記ステップＳ０７で動きありと検出された場合、例えば画像補正処理を施した画像データの投影に移行する前に、その画像の書類が書画台１ａ上で移動されてしまった場合などには、そのまま投影処理に移行する訳にはいかないので、その画像データをキャンセルするものとして憶部２５に保持される当該画像データを消去した上で（ステップＳ１２）、再び上記ステップＳ０２からの処理に移行する。
【００６６】
このように、装置の運転状況に応じて撮影画像の動き検出の感度を適宜切換えるものとしたので、ユーザに不安感及び不快感を与えることなく、また無駄な電力消費を抑えることができる。
【００６７】
この点で、特に電源投入当初には撮影している画像の動きの変化をより高い感度で検出する用に設定するものとした。そのため、プレゼンテーション等の動作当初に、可及的速やかに画像処理後の画像データを出力し、投影等の動作に反映させることが可能となる。
【００６８】
なお、上記実施の形態では撮影している画像の動き検出の感度を「高」「低」２段階に設定するものとしたが、本発明はこれに限らず、動き検出に関する個々の要素を個別に可変設定するなどの操作で、より多段階化するものとしてもよい。
【００６９】
また、上記実施の形態では、動き検出の感度を設定する具体的な要素として、撮影の頻度を示すフレームレートと画像の動きの有無を判断する連続フレーム数とを挙げてこれらを可変設定するものとしたが、本発明はこれに限らない。
【００７０】
例えば、時間的に連続する２フレームの画像の比較により動き検出を行なう場合、各画像を構成する同一位置にある画素どうしで比較を行ない、全体の何パーセントの画素が異なっているのか、予め設定されたしきい値に対する上下で動きの有無を判断することになると思われるが、そのしきい値自体を任意に可変設定できるものとしてもよい。
【００７１】
さらに、この場合、各画像を構成する同一位置にある画素どうしの比較に際しても、その差がどの程度異なるとその画素が異なるものであると判断するのか、画素単位での比較結果に対するしきい値を可変設定できるものとしてもよい。
【００７２】
このように、動き検出に関しては非常に多くの要素を組合わせてフレーム間で動きを生じているか否かを判断することができるため、簡単な制御によって動きの変化に対する感度を容易に切換えることができる。
【００７３】
なお、上記実施の形態では、パーソナルコンピュータを介してプロジェクタと接続する書画カメラで動き検出の感度を切換えるものとして説明したが、本発明は単体での書画カメラに限らず、書画カメラとプロジェクタ装置とを一体化した、書画カメラ機能付きのプロジェクタ装置にも同様に適用可能となる。
【００７４】
その他、本発明は上記実施の形態に限らず、その要旨を逸脱しない範囲内で種々変形して実施することが可能であるものとする。
【００７５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【００７６】
１…書画カメラ装置、１ａ…書画台、２…パーソナルコンピュータ（ＰＣ）、３…データプロジェクタ装置、４…ＵＳＢケーブル、５…ＲＧＢケーブル、６…ＣＤ−ＲＯＭ、１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース、２１…ＤＲＡＭ、２２…制御部、２３…ＵＳＢインタフェース（Ｉ／Ｆ）、２４…キー入力部。
【図１】
2011101428.tif 000003
【図２】
2011101428.tif 000004
【図３】
2011101428.tif 000005
【図４】
2011101428.tif 000006
【図５】
2011101428.tif 000007
【手続補正書】
【提出日】平成23年3月4日(2011.3.4)
【手続補正１】
【補正対象書類名】明細書
【補正対象項目名】０００８
【補正方法】変更
【補正の内容】
【０００８】
請求項１記載の発明は、撮影画像出力装置において、所定の撮影条件で連続して撮影する撮影手段と、この撮影手段で得た画像に所定の画像処理を施す画像処理手段と、この画像処理手段で画像処理が施された画像データを出力する出力手段と、上記撮影手段で得た画像の動きを検出する検出手段と、電源投入当初に、上記検出手段が動きをより高い感度で検出するように上記検出手段の検出感度を切換えるとともに、上記検出手段の検出結果により上記検出手段の検出感度を切換える制御手段とを具備したことを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
請求項２記載の発明は、上記請求項１記載の発明において、上記制御手段は、撮影条件として単位時間当たりに撮影する画像フレーム数を切換えることを特徴とする。
請求項３記載の発明は、請求項１又は２記載の発明において、上記制御手段は、上記検出手段が、画像が静止したと検出した場合に、上記画像処理手段により所定の画像処理を行った後に、上記検出手段の検出感度をより高い感度のまま、上記検出手段により画像の動きを更に検出することを特徴とする。
請求項４記載の発明は、請求項３記載の発明において、上記制御手段は、画像処理後、上記検出手段が、画像が静止したと検出した場合に、上記画像処理後の画像を投影することを特徴とする。
請求項５記載の発明は、請求項３記載の発明において、上記制御手段は、画像処理後、上記検出手段が、画像が静止したと検出した場合に、上記検出手段が動きをより低い感度で検出するように上記検出手段の検出感度を切換えることを特徴とする。
請求項６記載の発明は、請求項５記載の発明において、上記制御手段は、投影処理後、上記検出手段のより低い感度での動きの検出により、上記検出手段が、画像が静止していないと検出した場合に、上記検出手段が動きをより高い感度で検出するように上記検出手段の検出感度を切換えることを特徴とする。
請求項７記載の発明は、請求項３記載の発明において、上記制御手段は、画像処理後、上記検出手段が、画像が静止していない検出した場合に、上記画像処理後の画像を投影せずに、上記画像処理後の画像を消去して、上記検出手段により画像の動きを更に検出することを特徴とする。
【手続補正４】
【補正対象書類名】明細書
【補正対象項目名】００１１
【補正方法】変更
【補正の内容】
【００１１】
請求項８記載の発明は、請求項１〜７のいずれか一項記載の発明において、上記制御手段は、検出感度として画像に動きが生じていない時間的に連続した画像フレーム数を切換えることを特徴とする。
【手続補正５】
【補正対象書類名】明細書
【補正対象項目名】００１２
【補正方法】変更
【補正の内容】
【００１２】
請求項９記載の発明は、上記請求項１〜８のいずれか一項記載の発明において、上記制御手段は、検出感度として時間的に連続した画像間の変化の有無を判断するしきい値を切換えることを特徴とする。
請求項１０記載の発明は、上記請求項１〜９のいずれか一項記載の発明において、当該撮影画像出力装置は、上記画像処理手段、上記検出手段及び上記制御手段を動作させる静止画表示モードと、上記画像処理手段、上記検出手段及び上記制御手段を動作させないスルー表示モードとの２つの表示動作モードを有することを特徴とする。
【手続補正６】
【補正対象書類名】明細書
【補正対象項目名】００１３
【補正方法】変更
【補正の内容】
【００１３】
請求項１１記載の発明は、撮影画像出力装置の撮影制御方法であって、所定の撮影条件で連続して撮影し、撮影により得た画像に所定の画素処理を施して出力する撮影画像出力装置の撮影制御方法であって、上記連続して撮影される画像の動きを検出する検出工程と、電源投入当初に、上記検出工程が動きをより高い感度で検出するように上記検出工程の検出感度を切換えるとともに、上記検出工程での検出結果により上記検出工程での検出感度を切換える制御工程とを有したことを特徴とする。
【手続補正７】
【補正対象書類名】明細書
【補正対象項目名】００１４
【補正方法】変更
【補正の内容】
【００１４】
請求項１２記載の発明は、所定の撮影条件で連続して撮影し、撮影により得た画像に所定の画素処理を施して出力する撮影画像出力装置に内蔵されたコンピュータが実行するプログラムであって、上記連続して撮影される画像の動きを検出する検出ステップと、電源投入当初に、上記検出ステップが動きをより高い感度で検出するように上記検出ステップの検出感度を切換えるとともに、上記検出ステップでの検出結果により上記検出ステップでの検出感度を切換える制御ステップとをコンピュータに実行させることを特徴とする。
【手続補正８】
【補正対象書類名】明細書
【補正対象項目名】００１５
【補正方法】変更
【補正の内容】
【００１５】
本願発明によれば、装置の運転状況に応じて撮影画像の動き検出の感度を適宜切換えることで、書類台に書類を載置してからその画像が実際に投影表示されるまでに長い時間を要することがなく、ユーザに不安感及び不快感を与えることなく、また無駄な電力消費を抑えることができる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】特許請求の範囲
【補正対象項目名】全文
【補正方法】変更
【補正の内容】
【特許請求の範囲】
【請求項１】
所定の撮影条件で連続して撮影する撮影手段と、
この撮影手段で得た画像に所定の画像処理を施す画像処理手段と、
この画像処理手段で画像処理が施された画像データを出力する出力手段と、
上記撮影手段で得た画像の動きを検出する検出手段と、
電源投入当初に、上記検出手段が動きをより高い感度で検出するように上記検出手段の検出感度を切換えるとともに、上記検出手段の検出結果により上記検出手段の検出感度を切換える制御手段と
を具備したことを特徴とする撮影画像出力装置。
【請求項２】
上記制御手段は、撮影条件として単位時間当たりに撮影する画像フレーム数を切換えることにより上記検出手段の検出感度を切換えることを特徴とする請求項１記載の撮影画像出力装置。
【請求項３】
上記制御手段は、
上記検出手段が、画像が静止したと検出した場合に、上記撮影処理手段により適正な条件で撮影処理を行い、上記画像処理手段により所定の画像処理を行った後に、上記検出手段の検出感度をより高い感度のまま、上記検出手段により画像の動きを更に検出することを特徴とする請求項１又は２記載の撮影画像出力装置。
【請求項４】
上記制御手段は、
画像処理後、上記検出手段が、画像が静止したと検出した場合に、上記画像処理後の画像を出力することを特徴とする請求項３記載の撮影画像出力装置。
【請求項５】
上記制御手段は、
画像処理後、上記検出手段が、画像が静止したと検出した場合に、上記検出手段が動きをより低い感度で検出するように上記検出手段の検出感度を切換えることを特徴とする請求項３記載の撮影画像出力装置。
【請求項６】
上記制御手段は、
出力処理後、上記検出手段のより低い感度での動きの検出により、上記検出手段が、画像が静止していないと検出した場合に、上記検出手段が動きをより高い感度で検出するように上記検出手段の検出感度を切換えることを特徴とする請求項５記載の撮影画像出力装置。
【請求項７】
上記制御手段は、
画像処理後、上記検出手段が、画像が静止していない検出した場合に、上記画像処理後の画像を出力せずに、上記画像処理後の画像を消去して、上記検出手段により画像の動きを更に検出することを特徴とする請求項３記載の撮影画像出力装置。
【請求項８】
上記制御手段は、検出感度として画像に動きが生じていない時間的に連続した画像フレーム数を切換えることを特徴とする請求項１〜７のいずれか一項記載の撮影画像出力装置。
【請求項９】
上記制御手段は、検出感度として時間的に連続した画像間の変化の有無を判断するしきい値を切換えることを特徴とする請求項１〜８のいずれか一項記載の撮影画像出力装置。
【請求項１０】
当該撮影画像出力装置は、
上記画像処理手段、上記検出手段及び上記制御手段を動作させる静止画表示モードと、
上記画像処理手段、上記検出手段及び上記制御手段を動作させないスルー表示モードとの２つの表示動作モードを有することを特徴とする請求項１〜９のいずれか一項記載の撮影画像出力装置。
【請求項１１】
所定の撮影条件で連続して撮影し、撮影により得た画像に所定の画素処理を施して出力する撮影画像出力装置の撮影制御方法であって、
上記連続して撮影される画像の動きを検出する検出工程と、
電源投入当初に、上記検出工程が動きをより高い感度で検出するように上記検出工程の検出感度を切換えるとともに、上記検出工程での検出結果により上記検出工程での検出感度を切換える制御工程と
を有したことを特徴とする撮影画像出力装置の撮影制御方法。
【請求項１２】
所定の撮影条件で連続して撮影し、撮影により得た画像に所定の画素処理を施して出力する撮影画像出力装置に内蔵されたコンピュータが実行するプログラムであって、
上記連続して撮影される画像の動きを検出する検出ステップと、
電源投入当初に、上記検出ステップが動きをより高い感度で検出するように上記検出ステップの検出感度を切換えるとともに、上記検出ステップでの検出結果により上記検出ステップでの検出感度を切換える制御ステップと
をコンピュータに実行させることを特徴とするプログラム。